(57)【要約】【課題】カードが不慮に排出されてしまうという事態を起こらなくする。スライダのロック状態を維持するための突出片の先端部とスライダの係合面との掛り幅を、当該カードコネクタを厚肉化することなく大きくする。【解決手段】筐体１の内部に初期位置に向けて常時弾発付勢したスライダ４を配備する。カードロック手段と、スライダロック手段と、ロック解除手段とを有する。カードロック手段が、カード１００の係合部１２０に対して出退自在な係合体５と、筐体１に具備させた係合体逃がし空間２３と、筐体１に具備させた係合体支持面２４と、筐体１に具備させたガイド面２５と、係合体付勢手段３５とを有する。スライダロック手段が、スライダ４側の係合面４４と、カバー３側の係合部材３２とを有する。【選択図】        図４
2004193054.tif 000002
【特許請求の範囲】
【請求項１】
カードスロットを形成する筐体の内部に、そのカードスロットに挿入されたカードに押されて初期位置からカードセット位置に対応する押込み位置まで移動しかつ初期位置に向けて常時弾発付勢されたスライダが配備されていると共に、カードを上記スライダに連結することによってカードをこのスライダに保持させるカードロック手段と、上記スライダを上記押込み位置で上記筐体に連結することによってこのスライダを上記筐体に保持させるスライダロック手段と、このスライダロック手段によって筐体に保持された上記スライダのロック状態を解除するロック解除手段と、を有するカードコネクタにおいて、
上記カードロック手段が、上記スライダに保持されて上記カードに具備された凹入状の係合部に対して出退自在な係合体と、上記筐体に具備されて上記スライダの押込み位置よりも手前側位置でカードの上記係合部に対する上記係合体の出退動作を許容する係合体逃がし空間と、上記筐体に具備されて上記スライダの押込み位置でカードの上記係合部に嵌合した上記係合体に重なり合うことによりその係合部からの上記係合体の後退を阻止する係合体支持面と、上記筐体に具備されて上記スライダが初期位置から押込み位置に向けて移動する途中で上記係合体を上記係合体逃がし空間から上記係合体支持面との重なり箇所へ案内するガイド面と、上記係合体逃がし空間に位置する上記係合体を上記スライダの初期位置でそのスライダに重なり合ったカードの上記係合部に突出させかつカードを引抜き方向に移動させる動作によってカードの上記係合部から上記係合体が後退することを許容する係合体付勢手段と、を有し、
上記スライダロック手段が、上記スライダに具備された係合面と、上記筐体に具備されて押込み位置に移動したスライダの上記係合面に係合してそのスライダの初期位置側への移動を阻止する係合部材とを有することを特徴とするカードコネクタ。
【請求項２】
上記筐体が、合成樹脂成形体でなる上面開放のボディとこのボディに装着されてその上面開放部を覆う上板部を備えた板金製のカバーとでなり、このカバーの上記上板部の一部を内向きに切起して形成したばね性を有する片持ち状の突出片によって上記係合部材が形成されていると共に、その突出片の先端部がその突出片のばね性によって押込み位置に移動したスライダの上記係合面との対向位置に変位するようになっている請求項１に記載したカードコネクタ。
【請求項３】
上記ロック解除手段が、上記筐体に押引き自在に取り付けられかつ押込み操作によって上記係合面との対向位置に変位している上記突出片の先端部を上記係合面からの退避箇所に変位させて上記スライダをロック解除するレバーでなる請求項２に記載したカードコネクタ。
【請求項４】
上記スライダの初期位置と押込み位置との間での移動ストロークが、上記レバーの押込み操作による最大押込みストロークよりも長くなっている請求項３に記載したカードコネクタ。
【請求項５】
上記レバーに、初期位置に向けて常時弾発付勢された上記スライダがロック解除されて初期位置側へ移動したときにそのスライダに突き当たってそのスライダを初期位置に達する前に停止させるスライダ受部が備わっている請求項４に記載したカードコネクタ。
【請求項６】
上記カバーにその上板部の端縁に曲成された側板部が具備され、その側板部に、上記係合体逃がし空間に位置する上記係合体を、上記スライダに重なり合って幅方向一端部側に上記係合部を備える上記カードの幅方向一端部側に向けて常時弾発付勢するばね片が切起し形成され、このばね片によって上記係合体付勢手段が形成されている請求項１ないし請求項５のいずれか１項に記載したカードコネクタ。
【請求項７】
上記係合体逃がし空間内で上記係合体が上記ばね片により弾発付勢されて上記カードの係合部に対し突出しているときに、カードに加えられた引抜き力によって上記係合体をカードの係合部から後退させる係合体退避手段を備えている請求項６に記載したカードコネクタ。
【発明の詳細な説明】
【０００１】
【発明の属する技術分野】
本発明は、カードコネクタ、特に、筐体のカードスロットに挿入されたカードによって押し込まれたスライダが、カードセット位置に対応する位置で筐体に保持されてロックされると共に、上記カードスロットに挿入されたカードもスライダに保持されてロックされるようになっていて、筐体に対するスライダのロック状態がイジェクト操作（カード排出操作）によって解除され、かつ、スライダに対するカードのロック状態がカードの引抜き操作によって解除されるようになっているカードコネクタに関する。
【０００２】
【従来の技術】
特許文献１に従来のカードコネクタが開示されている。このカードコネクタでは、スライダを筐体に保持させるためのスライダロック手段が、細い線材を折り曲げて形成したカムピンとこのカムピンを案内するカム溝とを有し、カムピンがスライダに保持され、カム溝が筐体側に設けられている。そして、スライダを初期位置に向けて常時弾発付勢している付勢力を利用して、カムピンを、カム溝に具備させた段付面に係止させることによって筐体に対するスライダのロック状態が得られるようになっていると共に、その段付面からカムピンが不慮に外れてロック解除されてしまうことを防ぐためにカムピンを板ばねで押し付けるという構成が採用されている。また、スライダロック手段によるロック状態を解除するときには、カードを押し込んでスライダを移動させることにより、カム溝の段付面からカムピンを逃がすという操作を通じて行っている。一方、カードをスライダに連結するためのカードロック手段は、スライダに取り付けた板ばねの山形部を、その板ばねの弾性を利用してカードの幅方向一端部に備わっている凹入状の係合部に嵌合させることにより行っていて、このカードロック手段によるロック状態はいわゆるハーフロック状態であって、カードに大きな引抜き力を加えることによって板ばねの山形部を乗り越えさせてカードを引き抜くことができるようなロック状態である。
【０００３】
【特許文献１】
特許第３２４８０６８号公報
【０００４】
【発明が解決しようとする課題】
しかしながら、従来のカードコネクタでは、人為的なカードの無理抜きにより筐体に対するスライダのロック状態が不慮に解除されてしまい、カード側電極と筐体側コンコクトとの電気的接続が不慮に遮断されて機器側の電子電気機器に悪影響が及んだりするという問題があった。
【０００５】
また、カムピンと段付面との掛り幅が小さい状態でスライダが筐体にロックされているときもあり、そのような場合には比較的小さな衝撃や振動、あるいは人為的なカードの無理抜きによりスライダのロック状態が不慮に解除されてしまうという事態の起こるおそれがあった。さらに、近時の小形化薄形化に対応した小形カードコネクタでは、スライダロック手段のカムピンとカム溝の段付面との掛り幅を０．２〜０．３ｍｍというきわめて短い寸法に定めることを余儀なくされているため、板ばねでカムピンを押し付けているとしても、カードコネクタあるいはそのカードコネクタを取り付けた機器が落下衝撃を受けた場合などに、その衝撃によって段付面からカムピンが外れてロック解除されてしまうおそれがあった。そして、筐体に対するスライダのロック状態が不慮に解除されたりすると、初期位置に向けて常時弾発付勢されているスライダが初期位置まで勢いよく後退し、その影響でカードが筐体から不慮に飛び出してしまい、カード側電極と筐体側コンコクトとの電気的接続が不慮に遮断されてしまって機器側の電子電気機器に悪影響が及んだり、カードが筐体から飛び出して傷ついたりするという問題があった。
【０００６】
ところで、カードはカードロック手段によってスライダにロックされているけれども、カードとスライダとのロック状態は上記したようなハーフロック状態であるため、上記のような落下衝撃などに伴ってスライダが初期位置まで勢いよく後退したような場合には、そのときの慣性などによってカードに大きな引抜き方向の力が作用してハーフロック状態が解除され、カードが筐体の外に飛び出してしまうという可能性がある。
【０００７】
本発明は以上の状況や問題に鑑みてなされたものであり、カードセット位置に挿入されているカードに引抜き方向の大きな力が加わっても、そのような力によってカードが容易に引き抜かれないようになるカードコネクタを提供することを目的とする。
【０００８】
また、カードセット位置からのカードの排出を、筐体に対するスライダのロック状態を解除することによって行うという方式を採用しているカードコネクタにおいて、落下衝撃や振動などによって筐体に対するスライダのロック状態が不慮に解除されてしまうという状況を生じにくいカードコネクタを提供することを目的とする。
【０００９】
さらに、スライダと筐体とのロック状態を解除する操作を人為的に行った場合において、そのロック解除操作に伴ってカードが筐体の外に飛び出してしまうという状況が生じにくいカードコネクタを提供することを目的とする。
【００１０】
【課題を解決するための手段】
本発明に係るカードコネクタは、カードスロットを形成する筐体の内部に、そのカードスロットに挿入されたカードに押されて初期位置からカードセット位置に対応する押込み位置まで移動しかつ初期位置に向けて常時弾発付勢されたスライダが配備されていると共に、カードを上記スライダに連結することによってカードをこのスライダに保持させるカードロック手段と、上記スライダを上記押込み位置で上記筐体に連結することによってこのスライダを上記筐体に保持させるスライダロック手段と、このスライダロック手段によって筐体に保持された上記スライダのロック状態を解除するロック解除手段と、を有する。
【００１１】
そして、上記カードロック手段が、上記スライダに保持されて上記カードに具備された凹入状の係合部に対して出退自在な係合体と、上記筐体に具備されて上記スライダの押込み位置よりも手前側位置でカードの上記係合部に対する上記係合体の出退動作を許容する係合体逃がし空間と、上記筐体に具備されて上記スライダの押込み位置でカードの上記係合部に嵌合した上記係合体に重なり合うことによりその係合部からの上記係合体の後退を阻止する係合体支持面と、上記筐体に具備されて上記スライダが初期位置から押込み位置に向けて移動する途中で上記係合体を上記係合体逃がし空間から上記係合体支持面との重なり箇所へ案内するガイド面と、上記係合体逃がし空間に位置する上記係合体を上記スライダの初期位置でそのスライダに重なり合ったカードの上記係合部に突出させかつカードを引抜き方向に移動させる動作によってカードの上記係合部から上記係合体が後退することを許容する係合体付勢手段と、を有している。さらに、上記スライダロック手段が、上記スライダに具備された係合面と、上記筐体に具備されて押込み位置に移動したスライダの上記係合面に係合してそのスライダの初期位置側への移動を阻止する係合部材とを有している。
【００１２】
この構成を備えているカードコネクタによれば、スライダがカードに押されて押込み位置まで移動したときには、スライダの係合面に係合部材が係合してスライダの初期位置側への移動を阻止する。しかも、カードによってスライダが初期位置から押込み位置まで押し込まれるのに伴って、係合体付勢手段の作用によってカードの係合部に突出している係合体が係合体逃がし空間からガイド面を経て係合体支持面との重なり箇所へ移動し、係合体支持面との重なり箇所では、係合体が、カードセット位置まで挿入されているカードの凹入状の係合部に突出する。このため、カードセット位置では、スライダの初期位置側への移動が係合部材によって阻止され、併せて、カードに引抜き力が加わっても、係合体が、カードの係合部から後退せずにカードをスライダに連結して保持するという作用を発揮するので、カードがカードセット位置から無理抜きされるという事態が起こらない。
【００１３】
また、筐体に対するスライダのロック状態をロック解除手段によって解除すると、スライダが弾発付勢力により初期位置側に向けて移動し、係合体が係合体支持面との重なり箇所から離れて係合体逃がし空間に移動し、係合体がカードの係合部から後退することができる状態になる。しかも、スライダの初期位置では、係合体付勢手段が、カードを引抜き方向に移動させる動作によってカードの上記係合部から上記係合体が後退することを許容するので、スライダが初期位置に位置しているときには、カードに引抜き力を加えて係合体をカードの係合部から後退させることによりカードを引き抜くことができるようになる。
【００１４】
本発明では、上記筐体が、合成樹脂成形体でなる上面開放のボディとこのボディに装着されてその上面開放部を覆う上板部を備えた板金製のカバーとでなり、このカバーの上記上板部の一部を内向きに切起して形成したばね性を有する片持ち状の突出片によって上記係合部材が形成されていると共に、その突出片の先端部がその突出片のばね性によって押込み位置に移動したスライダの上記係合面との対向位置に変位するようになっていることが望ましい。これによれば、別部品で係合部材を構成する必要がないので組立工数を減らして価格を安く抑えることが可能であり、しかも、スライダの移動と係合部材の動作とを連携させる機構を設ける必要がないという利点もある。
【００１５】
本発明では、上記ロック解除手段が、上記筐体に押引き自在に取り付けられかつ押込み操作によって上記係合面との対向位置に変位している上記突出片の先端部を上記係合面からの退避箇所に変位させて上記スライダをロック解除するレバーでなる、という構成を採用することが望ましく、これによれば、レバーの押込み操作でカードを排出すくことが可能になる。
【００１６】
本発明では、上記スライダの初期位置と押込み位置との間での移動ストロークが、上記レバーの押込み操作による最大押込みストロークよりも長くなっていることが望ましい。これによれば、たとえば当該カードコネクタが落下した衝撃によってレバーが押し込まれた場合でも、そのレバーによってスライダのロック状態が解除されてしまうという事態が起こらないので、落下衝撃の影響によるレバーの作用・反作用の法則によってスライダのロック状態が解除されるという誤作動が起こらなくなる。
【００１７】
本発明では、上記レバーに、初期位置に向けて常時弾発付勢された上記スライダがロック解除されて初期位置側へ移動したときにそのスライダに突き当たってそのスライダを初期位置に達する前に停止させるスライダ受部が備わっていることが望ましい。これによれば、レバーを押し込んでスライダのロック状態を解除するのと同時に初期位置側に向けて瞬時に移動するスライダが、初期位置に達する前にレバーのスライダ受部によって受け止められ、その後、レバーを押しながら初期位置に達するようになる。このため、スライダが初期位置に復帰するときの衝撃が緩和され、そのことがカードの飛出しを防ぐことに役立つ。
【００１８】
本発明では、上記カバーにその上板部の端縁に曲成された側板部が具備され、その側板部に、上記係合体逃がし空間に位置する上記係合体を、上記スライダに重なり合って幅方向一端部側に上記係合部を備える上記カードの幅方向一端部側に向けて常時弾発付勢するばね片が切起し形成され、このばね片によって上記係合体付勢手段が形成されていることが望ましい。これによれば、別部品で係合体付勢手段を構成する必要がないので組立工数を減らして価格を安く抑えることが可能である。
【００１９】
本発明では、上記係合体逃がし空間内で上記係合体が上記ばね片により弾発付勢されて上記カードの係合部に対し突出しているときに、カードに加えられた引抜き力によって上記係合体をカードの係合部から後退させる係合体退避手段を備えていることが望ましい。これによれば、スライダが初期位置に位置している状態でのカードの引抜きを円滑を行うことができるようになる。
【００２０】
【発明の実施の形態】
図１（Ａ）は本発明に係るカードコネクタの実施形態を示した全体平面図、同（Ｂ）は（Ａ）のＩＢ矢視図、図２（Ａ）はスライダ４がロックされている状態をカバー３を省略して示した概略平面図、同（Ｂ）はイジェクト操作直後の状態をカバー３を省略して示した概略平面図、図３はスライダ４と係合体５とを示した概略斜視図、図４（Ａ）はスライダ４がロックされている状態を示した概略縦断側面図、同（Ｂ）はスライダ４のロックを解除した直後の状態を示した概略縦断側面図、同（Ｃ）はレバー６のスライダ受部６１がスライダを受け止めた状態を示した概略縦断側面図、図５（Ａ）はカードセット位置でのスライダ４に対するカードのロック状態を示した要部の概略横断平面図、同（Ｂ）はカード挿入初期の状態を示した要部の概略横断平面図、図６は図５（Ａ）のＶＩ部拡大図、図７はカード引抜き時の状態を示した要部の概略横断平面図、図８は図５（Ｂ）のＶＩＩＩ部拡大図である。
【００２１】
図１又は図２のように、このカードコネクタの筐体１は、上面が開放された合成樹脂成形体でなるボディ２とこのボディ２に装着されてその上面開放部を覆う板金製のカバー３とでなり、カバー３の上板部３１とボディ２の底板部２１とによりカードスロットが形成されて、カード１００がこのカードスロットに対して挿抜されるようになっている。そして、カードスロットに挿入されたカード１００が図２に示したカードセット位置に達すると、そのカード１００に備わっているカード側電極（不図示）が、ボディ２のヘッド部２２に取り付けられている複数のコンタクトにＣに弾接して電気的接続が行われる。
【００２２】
図２のように、筐体１の内部には、上記カードスロットの側部に位置する前後移動自在な細長いスライダ４が配備されていて、このスライダ４がコイルばねでなるばね体４１によって初期位置に向けて常時弾発付勢されている。ここで、スライダ４の初期位置は、スライダ４が後述するレバー６の先端部であるスライダ受部６１に突き当たることによって規制され、また、スライダ４の押込み位置は後述するスライダロック手段によって規制される。
【００２３】
図３のように、スライダ４は、前端部に具備されてカード１００（図２又は図３参照）の片側コーナ部１１０が突き当たるカード受部４２と、後端部に具備された入隅部４３の立上り面によって形成された段付状の係合面４４とを有していると共に、その入隅部４３につながる溝部４５を備え、その溝部４５の端面が後述するレバー６（図３には仮想線で示してある）に対する突当り面４６として形成されている。また、スライダ４には、係合体５を内外方向に変位可能に収容する凹入部４７が備わっていて、この凹入部４７に収容保持された係合体５が内外方向に変位することによってその係合体５の突出部５１がカードスロットに対して出退するようになっている。
【００２４】
図５〜図８に示したように、上記筐体１の内部のスライダ配備箇所には、係合体逃がし空間２３と、この係合体逃がし空間２３よりも前側に位置する係合体支持面２４と、この係合体支持面２４から斜め外向きに後方へ延び出たガイド面２５とが設けられている。ここで、係合体支持面２４とガイド面２５とは、ボディ２の底板部２１に設けられたリブ状の隆起部２６の表面によって形成されているのに対し、係合体逃がし空間２３は、その隆起部２６の前側に確保された空間によって形成されている。これに対し、図３に示したように、上記スライダ４には上記隆起部２６を収容する凹所４８が形成されていて、スライダ４は、その凹所４８に隆起部２６を収容した状態で前後に移動することができるように筐体１の内部に配備されている。
【００２５】
また、図２又は図３のように、ボディ２の前端部片側に形成された孔部２７にレバー６が押引き自在に挿入されていて、そのレバー６がスライダ４の突当り面４６に対峙している。そして、図２（Ｂ）のようにレバー６の先端部によって形成されたスライダ受部６１にスライダ４の突当り面４６が突き当たることによってスライダ４の初期位置が規制されるようになっている。なお、レバー６には操作部６２と抜止め用のストッパ６３とが備わっている。
【００２６】
次に、図１（Ａ）のようにカバー３の上板部３１に、その一部を内向きに切り起こして形成してばね性を有する前向き片持ち状の突出片３２ａが備わっており、その突出片３２の先端部３２ａが、図４のようにスライダ４の係合面４４に対峙している。そして、図４（Ａ）のように突出片３２の先端部３２ａにスライダ４の係合面４４が係合することによってスライダ４の押込み位置が規制されるようになっている。
【００２７】
また、カバー３には、上板部３１の左右両側の端縁に曲成された側板部３３，３４が備わっていて、これらの側板部３３，３４がボディ２側の係止爪２８に係止されることによってカバー３がボディ２に結合されている（図１（Ａ）（Ｂ）参照）。そして、図５〜図８のように、片側の側板部３３には、ばね片３５が切起し形成されていて、そのばね片３５の山形状の先端部３６が上記係合体逃がし空間２３内に位置している。このため、その係合体逃がし空間２３に係合体５が位置しているときには、その係合体５が、ばね片３５の先端部３６によって左右方向内側に向けて弾発付勢される。
【００２８】
図６〜図８に示したように、スライダ４の凹入部４７に収容保持されている係合体５は、その突出部５１の前面５２が係合体５の矩形の基部５３から直角に突き出ているのに対し、突出部５１の後面５４は傾斜面になっている。また、基部５３は上記凹入部４７内に遊び空間Ｓを保って収容されていて、その遊び空間Ｓの広さに見合うだけ前後に傾動することができるようになっている。
【００２９】
以上説明したカードコネクタは、カード１００をスライダ４に連結することによってカード１００をこのスライダ４に保持させるカードロック手段Ａと、スライダ４を押込み位置で筐体１に連結することによってこのスライダ４を筐体１に保持させるスライダロック手段Ｂと、このスライダロック手段Ｂによって筐体に保持されたスライダ４のロック状態を解除するロック解除手段Ｃとを有している。そして、カードロック手段Ａが、係合体５と、係合体逃がし空間４７と、係合体支持面２４と、ガイド面２５と、ばね片３５でなる係合体付勢手段とを有している。また、スライダロック手段Ｂが、スライダ４に備わっている係合面４４と、突出片３２でなる係合部材とを有している。さらに、ロック解除手段Ｃがレバー６を有している。
【００３０】
以上説明したカードコネクタにおいて、図２（Ｂ）に示したスライダ４の初期位置と押込み位置との間での移動ストロークＳ１は、レバーの押込み操作による最大押込みストロークＳ２よりも長くなっている（Ｓ１＞Ｓ２）。
【００３１】
次に作用を説明する。
【００３２】
カードスロットに対するカード未挿入状態では、ばね体４１の付勢によってスライダ４の後方へ向けて弾発付勢されているので、そのスライダ４の突当り面４６がレバー６の先端部であるスライダ受部６１に突き当たり、レバー６のストッパ６３が筐体１側の孔部２７に押し付けられている。この状態でスライダ４が初期位置に規制されている。
【００３３】
スライダ４が初期位置に位置しているときに、カードスロットにカード１００が正規姿勢で挿入されると、カード１００の片側コーナ部１１０が、係合体逃がし空間Ｓ内でばね片３５によって付勢されている係合体５の突出部５１に乗上がった後、スライダ４の係止部４２に当たる。このときには、ばね片３５の付勢によって、係合体５の突出部５１が、カード１００の幅方向一端部側に備わっている凹入状の係合部１２０に嵌合する。これにより、カード１００が係合体５を介しスライダ４に連結されてカード１００がスライダ４に対してハーフロックされる。このようなロック状態では、図７に示したようにカード１００を引抜き方向（矢印Ｆ）に引張ると、ばね片３５の付勢に抗して、係合部１２０が係合体５を凹入部４７内で傾動させながら後退させる。そのため、カード１００が係合体５を乗り越えてカードスロットから排出される。
【００３４】
カード１００が初期位置のスライダ４にハーフロックされた状態からさらにカード１００を押し込むと、スライダ４がカード１００に押されて図４（Ａ）に示した押込み位置に向けて移動する。そして、スライダ４が押込み位置に到達すると、同図のように突出片３２の先端部３２ａがその突出片３２の弾性によってスライダ４の入隅部４３に入り込んで係合面４４との対向位置に変位する。このため、カード１００の押込みを止めると、ばね体４１の付勢力によってスライダ４の係合面４４が突出片３２の先端部３２ａに係合してスライダ４が押込み位置で筐体１に対してロックされる。
【００３５】
ここで、入隅部４３の深さ、すなわち係合面４４の高さを、冒頭で説明した特許文献１に見られるカムピンとカム溝の段付面との掛り幅よりも長くすることが可能であり、そのように係合面４４の高さを長くしても、当該カードコネクタが従来例のものに比べて厚肉にせざるを得なくなるという事態は生じない。具体的には、係合面４４の高さを０．７〜１ｍｍに定めることが可能であり、この高さは従来例のカムピンとカム溝の段付面との掛り幅である０．２〜０．３ｍｍに比べて３倍以上になる。したがって、図４（Ａ）のように、係合面４４が突出片３２の先端部３２ａに係合してスライダ４が押込み位置で筐体１に対してロックされている状態では、振動や落下衝撃によっても突出片３２の先端部３２ａが係合面４４から外れにくく、スライダ４のロック状態が振動や落下衝撃によって不慮に解除されるという事態が抑制される。
【００３６】
上記のように、スライダ４が押込み位置でロックされているときには、カード１００が図２（Ａ）のようにカードセット位置に位置し、カード１００の電極がコンタクトＣ（図２（Ｂ）参照）に弾接して両者が電気的接続される。
【００３７】
また、スライダ４が初期位置から押込み位置まで押し込まれるときには、スライダ４の凹入部４７に収容保持されている係合体５がガイド面２５を摺動して図５又は図６のように係合体支持面２４に乗り上がり、カード１００がカードセット位置に位置したときには、係合体支持面２４に係合体５が重なり合ってその係合体５の後退が係合体支持面２４によって阻止された状態になる。このため、カードセット位置でカード１００に引抜き方向の力が加えられても、係合体５の突出部５１がカード１００の係合部１２０から抜け出るという事態が起こらない。したがって、カードセット位置からのカード１００の無理抜きが防止されるだけでなく、カード１００がカードセット位置に位置しているときに落下衝撃などが加わっても、カード１００がスライダ４から離脱して排出されてしまうという事態が起こらない。
【００３８】
スライダ４が押込み位置でロックされているときに、レバー６を押し込むと、レバー６が図４（Ｂ）のように突出片３２の下側に進入してその突出片３２の先端部３２ａをすくい上げるので、その先端部３２ａがスライダ４の係合面４４から外れる。これに伴い、ばね体４１（図２参照）で付勢されているスライダ４が瞬時に後退するけれども、レバー６が突出片３２の先端部３２ａをすくい上げた時点では、そのレバー６に対する押込み操作力が持続しているので、上記のように瞬時後退したスライダ４の突き当たり面４６が図４（Ｃ）のようにレバー６のスライダ受部６１に突き当たってスライダ４の後退が停止する。そして、その間のスライダ４の後退量は短いので、スライダ４の突き当たり面４６がレバー６のスライダ受部６１に突き当たったときの衝撃はそれほど大きくはならない。したがって、スライダ４の突き当たり面４６がレバー６のスライダ受部６１に突き当たったときに、係合体５が係合体逃がし空間４７に到達したとしても、その係合体５によるカード１００のハーフロック状態が解除されるという事態が起こるおそれはない。したがって、その後、レバー６の押込み操作力を解放してスライダ４がばね体４１の付勢力で初期位置に復帰しても、その復帰の衝撃が緩和されてカード１００がカードスロットから外に飛び出すという事態が起こらない。
【００３９】
スライダ４が初期位置に復帰した後、カード１００に引抜き力を加えると、図７を参照して既述したようにカード１００に対するハーフロック状態が解除され、カード１００が図８のように係合体５に乗り上がって排出される。
【００４０】
以上説明した実施形態では、係合体５の突出部５１の前面５２を係合体５の矩形の基部５３から直角に突き出しているため、基部５３をスライダ４の凹入部４７内に遊び空間Ｓを保って収容し、それによって、カード引抜き時に係合体５が傾動するようにしておく必要がある。しかし、この点は、係合体の突出部の前面を傾斜面として形成しておけば、カード引抜き時に係合体を傾動させる必要はない。この事例を図９及び図１０に示してある。
【００４１】
すなわち、図９はスライダ４が押込み位置でロックされている状態での要部の概略横断平面図、図１０はスライダ４が初期位置に位置している状態でのカード１００の排出動作を示した要部の概略横断平面図である。
【００４２】
図９及び図１０のように、この実施形態では、係合体５の突出部５１が山形に形成されていて、その前面５２が傾斜面になっている。また、係合体５の基部５３は、スライダ４の凹入部４７の前後の壁面４７ａ，４７ｂに摺動可能に接触している。このものによると、図９のように係合体５が係合体支持面２４に乗り上がってその突出部５１がカード１００の凹入状の係合部１２０に突出している状態では、カード１００に無理抜きや衝撃などによって引抜き方向の力が加わっても、係合体支持面２４が係合体５の後退を阻止するので、カード１００が無理抜きされたり、衝撃によって不慮に排出されたりすることはない。また、図１０のように、スライダ４が初期位置に復帰して係合体逃がし空間２３に係合体５が位置しているときにカード１００に引抜き方向の力が加えられると、突出部５１をばね片３５の付勢に抗して後退させながらその前面５２をカード１００の係合部１２０が滑ってカード１００が係合体５に乗り上がるという動作を通じてカード１００が引き抜かれる。
【００４３】
図９及び図１０において、その他の構成は図６及び図８に示したところと同様であるので、同一又は相応する部分に同一符号を付すことによって説明が重複することを回避する。
【００４４】
【発明の効果】
以上のように、本発明に係るカードコネクタによると、カードセット位置では、カードの凹入状の係合部に突出している係合体の後退が筐体側の係合体支持面によって阻止される構造になっているので、カードセット位置に挿入されているカードの無理抜きや衝撃によってカードが不慮に排出されてしまうという事態が容易に起こらない。また、スライダのロック状態を維持するための突出片の先端部とスライダの係合面との掛り幅を、当該カードコネクタを厚肉化することなく従来のカムピンとカム溝の段付面との係合幅よりも大きくすることが可能であるので、振動や衝撃、さらには無理抜きによってスライダのロック状態が解除されるという事態が起こりにくくなり、それだけカードコネクタの接続信頼性が向上する。さらに、スライダのロック解除操作を行ったときには、スライダが初期位置に復帰するときの衝撃が緩和されるため、カードセット位置からのカードの排出を、筐体に対するスライダのロック状態を解除することによって行うという方式を採用しているにもかかわらず、ロック解除操作に伴ってカードが筐体の外に飛び出してしまうという状況が生じにくくなる。
【図面の簡単な説明】
【図１】（Ａ）は本発明に係るカードコネクタの実施形態を示した全体平面図、（Ｂ）は（Ａ）のＩＢ矢視図である。
【図２】（Ａ）はスライダがロックされている状態をカバーを省略して示した概略平面図、（Ｂ）はイジェクト操作直後の状態をカバーを省略して示した概略平面図である。
【図３】スライダと係合体とを示した概略斜視図である。
【図４】（Ａ）はスライダがロックされている状態を示した概略縦断側面図、（Ｂ）はスライダのロックを解除した直後の状態を示した概略縦断側面図、（Ｃ）はレバーのスライダ受部がスライダを受け止めた状態を示した概略縦断側面図である。
【図５】（Ａ）はカードセット位置でのスライダに対するカードのロック状態を示した要部の概略横断平面図、（Ｂ）はカード挿入初期の状態を示した要部の概略横断平面図である。
【図６】図５（Ａ）のＶＩ部拡大図である。
【図７】カード引抜き時の状態を示した要部の概略横断平面図である。
【図８】図５（Ｂ）のＶＩＩＩ部拡大図である。
【図９】他の実施形態においてスライダが押込み位置でロックされている状態での要部の概略横断平面図である。
【図１０】他の実施形態においてスライダが初期位置に位置している状態でのカードの排出動作を示した要部の概略横断平面図である。
【符号の説明】
１  筐体
２  ボディ
３  カバー
４  スライダ
５  係合体
６  レバー
２３  係合体逃がし空間
２４  係合体支持面
２５  ガイド面
３１  カバーの上板部
３２  突出片（係合部材）
３２ａ  突出片の先端部
３３  カバーの側板部
３５  ばね片（係合体付勢手段）
４４  係合面
５２  突出部の傾斜した前面（係合体退避手段）
６１  スライダ受部
１００  カード
１２０  係合部
Ａ  カードロック手段
Ｂ  スライダロック手段
Ｃ  ロック解除手段
Ｓ  遊び空間（係合体退避手段）
Ｓ１  スライダの初期位置と押込み位置との間での移動ストローク
Ｓ２  レバーの押込み操作による最大押込みストローク
【図１】
2004193054.tif 000003
【図２】
2004193054.tif 000004
【図３】
2004193054.tif 000005
【図４】
2004193054.tif 000006
【図５】
2004193054.tif 000007
【図６】
2004193054.tif 000008
【図７】
2004193054.tif 000009
【図８】
2004193054.tif 000010
【図９】
2004193054.tif 000011
【図１０】
2004193054.tif 000012